(57)【要約】  ホースにフレキシブルに接続される給水栓接続部（１）、特にハンドシャワー（１）および非使用時に前記給水栓接続部（１）を保持する（２１）ための給水栓接続部ホルダ（２）を備えた、建物または船舶等に設けられた給水設備において、ＵＶ照射により水を殺菌する方法であって、ＵＶ照射を前記給水栓接続部（１）において行う方法において、前記給水栓接続部（１）が前記給水栓接続部ホルダ（２）に保持されているときに、ＵＶ照射を前記給水栓接続部ホルダ（２）から前記給水栓接続部（１）に向けることを特徴とする。さらに本発明は、ホースにフレキシブルに接続される給水栓接続部（１）、特にハンドシャワー（１）および非使用時に前記給水栓接続部（１）を保持する（２１）ための給水栓接続部ホルダ（２）を備え、前記給水栓接続部（１）内を案内される水のＵＶ照射手段（３）が設けられている、建物または船舶等に設けられた給水設備における給水栓接続装置において、前記ＵＶ照射手段（３）は、前記給水栓接続部ホルダ（２）内に配置されており、前記給水栓接続部（１）内には、前記給水栓接続部ホルダ（２）内に保持された（２１）場合に前記ＵＶ照射手段（３）に向かい合うように、ＵＶ光線透過窓が配置されていることを特徴とする、給水栓接続装置に関する。
2020531277.tif 000002
【特許請求の範囲】
【請求項１】
ホースに接続された給水栓接続部（１）、特にハンドシャワー（１’）と非使用時に前記給水栓接続部（１）を保持する（２１）ための給水栓接続部ホルダ（２）とを備えた、建物または船舶等に設けられた給水設備において、ＵＶ照射により水を殺菌する方法であって、ＵＶ照射を前記給水栓接続部（１）において行う方法において、
前記給水栓接続部（１）が前記給水栓接続部ホルダ（２）に保持されているときに、ＵＶ照射を前記給水栓接続部ホルダ（２）から前記給水栓接続部（１）に向けて行うことを特徴とする、方法。
【請求項２】
前記給水栓接続部（１）が前記給水栓接続部ホルダ（２）内に保持された（２１）後に、ＵＶ照射を開始しかつ所定の接続継続時間の間維持する、請求項１記載の方法。
【請求項３】
前記給水栓接続部（１）を前記給水栓接続部ホルダ（２）内に次に再び保持させた（２１）場合のＵＶ照射は、所定の第１の反復インターバルを超過した場合にのみ開始される、請求項２記載の方法。
【請求項４】
所定の第２の反復インターバルを超過したときに、前記給水栓接続部（１）が使用されていない場合には、ＵＶ照射が開始される、請求項２または３記載の方法。
【請求項５】
ホースに接続された給水栓接続部（１）、特にハンドシャワー（１’）と非使用時に前記給水栓接続部（１）を保持する（２１）ための給水栓接続部ホルダ（２）とを備え、前記給水栓接続部（１）内を案内される水に対してＵＶ照射手段（３）が設けられている、建物または船舶等に設けられた給水設備における給水栓接続装置において、
前記ＵＶ照射手段（３）は、前記給水栓接続部ホルダ（２）内に配置されており、前記給水栓接続部（１）には、前記給水栓接続部ホルダ（２）内に該給水栓接続部（１）が保持された（２１）場合に前記ＵＶ照射手段（３）に向かい合うように、第１のＵＶ光線透過窓（１５）が配置されていることを特徴とする、給水栓接続装置。
【請求項６】
前記ＵＶ照射手段（３）は、ＵＶＣ放射ＬＥＤ半導体（３１）である、請求項５記載の給水栓接続装置。
【請求項７】
前記ＵＶ照射手段（３）は、給水栓接続部ホルダ（２）内に水密に配置されており、前記給水栓接続部ホルダ（２）には、前記給水栓接続部（１）の前記第１のＵＶ光線透過窓（１５）と向かい合うように第２のＵＶ光透過窓（２２）が設けられている、請求項５または６記載の給水栓接続装置。
【請求項８】
前記ＵＶ照射手段（３）には、低電圧供給によるまたは前記給水栓接続部ホルダ（２）に設けられたバッテリ（４２）による電力供給部が対応して配置されている、請求項５、６または７記載の給水栓接続装置。
【請求項９】
前記給水栓接続部ホルダ（２）に、前記給水栓接続部（１）が非使用時に前記給水栓接続部ホルダ（２）に保持されている（２１）場合に前記ＵＶ照射手段（３）を作動させる、作動手段（４１）が設けられている、請求項５から８までのいずれか１項記載の給水栓接続装置。
【請求項１０】
前記給水栓接続部（１）は、ノズル（１３）を備えたハンドシャワーであり、該ハンドシャワー（１’）内において前記ノズル（１３）の手前には、シェード手段（５）が配置されている、請求項５から９までのいずれか１項記載の給水栓接続装置。
【発明の詳細な説明】
【技術分野】
【０００１】
本発明は、ホースにフレキシブルに接続される給水栓接続部、特にハンドシャワーおよび非使用時に給水栓接続部を保持するための給水栓接続部ホルダを備えた、建物または船舶等に設けられた給水設備へのＵＶ照射により、水を殺菌する方法であって、ＵＶ照射を給水栓接続部において行う方法に関する。さらに本発明は、ホースにフレキシブルに接続される給水栓接続部、特にハンドシャワーおよび非使用時に給水栓接続部を保持するための給水栓接続部ホルダを備えた、建物または船舶等に設けられた給水設備における給水栓接続装置であって、給水栓接続部内を案内される水に対するＵＶ照射手段が設けられている給水栓接続装置に関する。
【０００２】
建物および例えば船舶にも設けられている、使用水および飲用水用の給水設備は、その内部で病原菌、特にレジオネラ菌が増殖するため、病気の原因として繰り返し苦情を言われることになる。給水栓接続部内の乾かない残留水は、病原菌にその増殖を特に促進する条件を与えてしまう。よってこの場合、汚染水が特にシャワーヘッドから最小液滴で〜霧状に放出されることになる。この水霧は容易に吸い込まれる恐れがあるため、人間にとって気道や肺が直接に汚染されるという危険をはらんでいる。レジオネラ菌による肺や気道の汚染は、重病になる恐れがある。
【０００３】
多用される対策は、高温に調節された水による導管系全体の加熱およびその後の清水による導管系全体の完全洗浄であり、これにより、系からあらゆる残留病原菌を除去することができる。別の周知の対策は、紫外光（ＵＶ光）に基づく化学的、電気的および光技術的な方法を用いた、水の中央濾過または中央殺菌である。
【０００４】
高温の水による洗浄の欠点は、このためのエネルギ消費量および水消費量が極めて高く、かつこの対策は定期的に繰り返されねばならない、という点にある。それにもかかわらず、特に危険にさらされたコンポーネント全てが効果的に殺菌されている、ということを保証するのは困難でしかない。
【０００５】
中央濾過・殺菌システムの欠点は、この場合には望ましい微生物および水成分も減少または全滅させられる恐れがある、という点にある。水は、あらゆる成分を含むその本来の形態では自然食品であるため、中央殺菌は、全ての消費者の意向ではない。
【０００６】
不都合にも、レジオネラ菌等の有害な病原菌を防ぐために中央に設置される全てのシステムは、特に危険にさらされる可能性のある栓接続部や特にシャワーヘッド等の、給水システムの複数箇所に不適切に設置される。これらの中央システムの場合にはむしろ、給水部全体を殺菌せねばならないことから大きな手間が生じるにもかかわらず、特に危険にさらされる箇所、つまり栓接続部および特にシャワーヘッドから、望ましくない病原菌増殖が十分に排除されてはいない。まさに栓接続部および特にシャワーヘッド内では、そこに残留水が残留していると、室温において空気の影響を受けて、レジオネラ菌の増殖が促進される恐れがある。さらに中央システムは、病原菌が非中央箇所において、場合により生じるコンポーネントの故障または別の理由によりシステム内に侵入して分散し、次いで病原菌にとって好適な箇所で増殖する、ということを防ぐことはできない。
【０００７】
よって、給水栓接続部、特にシャワーヘッド内にＵＶ照射するための装置が知られている。
【０００８】
独国特許出願公開第１０１５７３５５号明細書に記載の構成では、ＵＶ照射は、使用水を案内する、シャワーヘッドの直前の導管内、例えばシャワーホース内で行われる。よって導管内（ただしシャワーヘッド内ではない）に残留する残留水を、ＵＶ照射により殺菌することができる。
【０００９】
独国特許出願公開第１９６３９８０２号明細書から公知の同様のシャワーヘッドでは、シャワーヘッド内に残留する残留水が、給水栓接続部を閉じた後でもＵＶランプにより照射され、ひいては病原菌が除去されるようになっている。
【００１０】
独国特許出願公開第１９７３６６３６号明細書から公知の、給水栓接続部内の水からＵＶ照射により病原菌を除去する装置では、まずＵＶランプを作動させ、次いで初めて、給水栓接続部から水流を解放する。つまり水流出開始前に、予め病原菌除去を行おうとする。
【００１１】
類似の装置は、中国実用新案公告第２０３６９５２５６号明細書ならびに特開２００１−３３４１７９号公報または韓国公開特許第１０−２００８−００９３５３５号公報から公知である。
【００１２】
同様に、独国実用新案第２０１０５３４１号明細書には、水を殺菌しかつ病原菌を除去するための装置ならびにこのような装置を備えたシャワーヘッドが記載されている。この場合は通流装置のことであり、この通流装置は、内部に石英ガラスから成る細長い管を有しており、管内には紫外光放射ランプが設けられている。この場合、水は２つの環状室に流入しかつ再び戻る方向に流れるようになっており、両環状室は、流路内に設けられた別の石英ガラス管により隔離されているため、ＵＶ光が両方の流路に作用することができるようになっている。
【００１３】
さらに米国特許出願公開第２０１６０３３１８５５明細書から公知の殺菌システムでは、ＵＶ光源が給水栓接続部の内面または外面に、光線透過窓と共に組み込まれる、もしくはＵＶ光線が、給水栓接続部ひいてはその内部を案内される水に、直接に入射させられるようになっている。
【００１４】
不都合にも、公知のＵＶ照射装置の場合には、ＵＶ光を用いた、給水栓接続部における直接的な殺菌は、そこに収納された照射素子によってしか達成され得ない。このことはやはり、エネルギ供給部を電気的に安全にかつスペース的にシャワーヘッドのケーシング内に収納しなければならないと共に、シャワーヘッド内にはＵＶ照射素子も収納しなければならず、ハンドシャワーの使用時にユーザが持つ必要もある、ということに起因する。前掲の独国特許出願公開第１０１５７３５５号明細書だけには、ＵＶ光線を使用水接続部の領域で、接続部材を介してハンドシャワーのフレキシブルなホース内に入射させることが提案されている。しかしながらこの構成には、シャワーヘッドにおける直接的なＵＶ照射が実現され得ない、という欠点がある。つまりこれに相応して、シャワーヘッド内に存在する残留水がやはり病原菌、特にレジオネラ菌の増殖の温床として働く恐れがある。
【００１５】
したがって本発明の課題は、ホースにフレキシブルに接続された給水栓接続部を用いて水を殺菌する方法もしくは給水栓接続部、つまり特にハンドシャワーが、ＵＶ照射手段も、相応するエネルギ供給部も有していないにもかかわらず、給水栓接続部内に位置する残留水のＵＶ照射をも可能にする、相応する給水栓接続装置を提供することにある。
【００１６】
この課題は、請求項１記載の方法および請求項５記載の給水栓接続装置により解決される。
【００１７】
給水栓接続部が給水栓接続部ホルダに保持されているときに、ＵＶ照射を給水栓接続部ホルダから給水栓接続部に向けることにより、ＵＶ照射を給水栓接続部ホルダ内で生ぜしめかつ給水栓接続部に向け、これにより、給水栓接続部が給水栓接続部ホルダに挿入されている場合には常に、給水栓接続部内に含まれる水や残留水のＵＶ照射ひいては殺菌が可能である。
【００１８】
装置的に前記課題は、ＵＶ照射手段が給水栓接続部ホルダ内に配置されており、給水栓接続部内には、給水栓接続部ホルダ内に保持された場合にＵＶ照射手段に向かい合うようにＵＶ光線透過窓が配置されていることにより解決される。つまり本発明では、給水栓接続部、特にハンドシャワーを慣用のように取り扱うことができ、給水栓接続部が追加的な電気装置により加重されたり、体積が加えられたりすることはない。給水栓接続部内には、適当な箇所にＵＶ光線透過窓を配置するだけでよく、ＵＶ光線透過窓は、給水栓接続部ホルダに設けられた、対応するＵＶ照射手段により照射され得る。全体として、水流出部の直前の給水栓接続部に対するＵＶ照射により、病原菌の増殖に抗して作用する、ということが保証されている。
【００１９】
給水栓接続部が給水栓接続部ホルダ内に保持された後にＵＶ照射が開始されかつ所定の接続継続時間の間維持されると、給水栓接続部の使用後に給水栓接続部内に残留している残留水が次いで所定の時間にわたりＵＶ照射されることにより、確実に病原菌除去される。
【００２０】
短時間の後に給水栓接続部を再び作動させようとする場合、例えばシャワー過程を中断した場合または第２のシャワー過程がすぐに続く場合には、不要な追加の病原菌除去を回避しひいてはエネルギを節約するために、給水栓接続部が給水栓接続部ホルダ内に次に再び保持された場合のＵＶ照射は、所定の第１の反復インターバルを超過した場合にのみ開始される、ということが想定されていてよい。例えば病原菌除去は、２４時間毎、４８時間毎またはそれどころか週に一度だけ行われる必要がある。このことは経験値または検査に応じて調整することができる。
【００２１】
他方では、所定の第２の反復インターバルを超過したときに、給水栓接続部が使用されていない場合には、ＵＶ照射が開始される、ということが有利な場合がある。例えば、比較的長時間にわたり使用されない場合に残留水の病原菌除去を行うためにＵＶ照射が繰り返されることが望ましく、これにより、比較的長期にわたる待機後に病原菌除去が行われるにもかかわらず、病原菌の数が極度に多くなることはない。つまり例えば、病原菌除去は、少なくとも週に一度または第２の反復インターバルとして２週間または４週間の時間が経過した後に必要とされ得る。
【００２２】
装置的に適当なＵＶ照射手段としては、ＵＶＣ放射ＬＥＤ半導体が好適である。それというのも、ＵＶＣ放射ＬＥＤ半導体は、その放射強度に比べて低い電力消費量を有しているため、所望の放射強度に迅速に到達すると共に、殺菌に最適な光の波長に良好に調節可能であるからである。
【００２３】
ＵＶ照射手段が給水栓接続部ホルダ内に水密に配置されており、ＵＶ光透過カバーが給水栓接続部ホルダ内に、給水栓接続部のＵＶ光線透過窓に向かい合うように設けられている場合には、給水栓接続部ホルダ内に収納されたＵＶ照射装置も、侵入してくる水による損傷から防護されている。ＵＶ照射は、１つは給水栓接続部ホルダに設けられかつ１つは給水栓接続部に設けられた、いわば２つのＵＶ光線透過窓を介して、給水栓接続部内に残留している残留水に向かって作用する。
【００２４】
さらに有利には、ＵＶ照射手段には、低電圧供給によるまたは給水栓接続部ホルダに設けられたバッテリによる電力供給部が対応して配置されており、つまりエネルギ供給部を単独で、シャワー室または浴室の壁に固定されて配置された給水栓接続部ホルダに設けることができる。この場合、この装置を後付けするためには、ＵＶ照射手段が、給水栓接続部ホルダ内に設けられたバッテリにより生ぜしめられると、特に好適である。それというのもこれにより、給水栓接続部ホルダに通じる領域内に低電圧線路を敷設するための追加的な取付け作業が一切必要とされなくなるからである。この場合、試験測定において、給水栓接続部ホルダ内のＵＶ照射手段への供給量は、市販の９Vのブロック型バッテリを用いると約３０００回の殺菌を行うためには全く十分である、ということが判明した。よってこのような装置はバッテリ供給される場合でも、個人の浴室における通常使用において少なくとも２年の間は十分であると考えられる。９Vのブロック型バッテリを用いたエネルギ供給と、低電圧供給を用いたエネルギ供給の両方において、給水栓接続部ホルダに接するユーザは、場合により生じ得る、健康を害する恐れのある感電から防護されている、ということが保証されている。
【００２５】
給水栓接続部ホルダに、給水栓接続部が非使用時に給水栓接続部ホルダに保持されている場合にＵＶ照射手段を作動させる作動手段が設けられている、ということにより、好適にはＵＶ照射は、給水栓接続部、特にハンドシャワーが給水栓接続部ホルダに再び挿入されると発動される。場合により、ＵＶ照射は例えば１０分の待機時間が経過した後に初めて始まる、ということが想定されてもよく、これにより、ユーザが開始されたＵＶ照射により刺激されるまたはそれどころか害されることはなくなる。
【００２６】
前記構成に対して択一的に、給水栓接続部がノズルを備えたハンドシャワーであり、ハンドシャワー内でノズルの手前にシェード手段が配置されていることにより、ＵＶ光の不本意な出射が回避され得る。つまりこれらのシェード手段は、シャワー時もしくはシャワーヘッド使用後に、場合により健康を害するＵＶＣ光線がノズルから出射する恐れは一切ない、ということを保証する。シェード手段は、ＵＶＣ光線源（ＬＥＤ半導体）からユーザの皮膚または目に対する直接的な光線暴露を防ぐ。
【００２７】
さらに、ＵＶ照射手段用の電子制御装置内に、安全上重大な故障が確認されると直ちにＵＶ照射をすぐに終了させる安全回路が設けられている、ということが想定され得る。これは例えば、給水栓接続部もしくはシャワーヘッドのケーシングの破損であるか、またはＵＶＣ光線が妨げられることなく構成部材から出射する恐れがあるという危険をはらむ、その他の技術的な欠陥であり得る。安全回路としては、例えば光センサ、圧力センサおよび／または湿度センサが考えられる。場合により、給水栓接続部と給水栓接続部ホルダとの間に信号通信手段を設けることが有利である。
【図面の簡単な説明】
【００２８】
以下に、本発明による給水栓接続装置を添付の図面につき詳しく説明する。
【図１】給水栓接続装置の側面図である。
【図２】給水栓接続部の一部を詳細に示す図である。
【００２９】
図１には、ハンドシャワー１’の形態の給水栓接続部１ならびに対応して配置され、壁Ｗに取り付けられた給水栓接続部ホルダ２が示されている。ハンドシャワー１’は給水栓接続部ホルダ２に、破線で示すように収納することができる。その他の点では、ハンドシャワー１’は慣用のように、自由に取り扱うことができる。ハンドシャワーもしくはシャワーヘッド１’として形成された給水栓接続部１は、給水部に通じるシャワーホースに接続されている。シャワーヘッド１’の下流側の端部には、水流出部１２としてケーシング１０に形成された多数のノズル１３を備えたシャワー部が形成されている。
【００３０】
壁Ｗに取り付けられた給水栓接続部ホルダ２はホルダケーシング２０を有しており、ホルダケーシング２０には、シャワーヘッドもしくはハンドシャワー１’を保持するための保持部２１が形成されている。給水栓接続部ホルダ２のホルダケーシング２０の内部には、ＵＶ照射手段３が配置されている。ＵＶ照射手段３は、例えば１つの回路基板上に配置された複数のＵＶＣ放射ＬＥＤ３１を有している。回路基板上には、必要とされる電子制御装置４が配置されてよい。図１では、電子制御装置４は小箱として形成されている。電子制御装置４には作動手段４１が配置されており、作動手段４１は、給水栓接続部ホルダ２の保持部２１にハンドシャワー１’が掛け込まれると作動して、「ハンドシャワーが給水栓接続部ホルダ２に正しく保持された」という信号を発信する。電力供給は、同様に給水栓接続部ホルダ２のホルダケーシング２０内に収納されたバッテリ４２を介して行われる。
【００３１】
一方では給水栓接続部ホルダ２内の電気的なコンポーネントを水分から防護すると同時に、ＵＶ照射手段３において生ぜしめられたＵＶ光線の放射を可能にするために、ホルダケーシング２０内には、ＵＶ光線を透過させるための第２の窓２２が設けられている。同様に、ハンドシャワー１’のケーシング１０内には、ＵＶ光線を透過させるための第１の窓１５が配置されており、第１の窓１５は、ハンドシャワーが給水栓接続部ホルダ２内に所定のように収納されると、ＵＶ光線を透過させるための第２の窓２２に正確に隣接し、これにより、給水栓接続部ホルダ２内でＵＶ照射手段３により生ぜしめられたＵＶ光線が、ハンドシャワー１’に入射して有効に作用することができる。
【００３２】
この状態は、図２に再度詳細に、部分的に断面した部分図として示されている。ＵＶＣ放射ＬＥＤ３１から放射された、ＵＶ照射手段３のＵＶＣ光線Ｚは、ＵＶ光線を透過させるための第２の窓２２と、直に接続するように平行に配置された、ＵＶ光線を透過させるための第１の窓１５とを透過して、ハンドシャワー１’の内部空間に作用する。そこの内部空間に場合により存在している残留水は、ＵＶＣ光線により殺菌されることになる。
【００３３】
この場合、シャワーヘッドもしくはハンドシャワー１’は別の構成において、ノズル１３の直前にシェード手段５を有している。図２では、シャワー部の領域の一部において、この状態が示されている。シェード手段５は、ノズル１３の各流入開口１４の手前の内側に配置されたフード５１から成っている。ＵＶＣ耐久性で光を透過させないこれらのフード５１は、ＬＥＤ半導体からＵＶＣ光がノズル１３を透過して外部空間に放射されることを防止する。つまりノズル１３の流入部１４は、フード５１により、入射してくるＵＶＣ光線Ｚから確実に防護されている。フード５１は、ノズル１３の流入部１４に対して間隔をあけて配置されているため、シャワーヘッド１に供給されるべき水は、図２に示す流れ矢印Ｘに相応して、実質的に遮られずにノズル１３を通流することができる。
【００３４】
次に水殺菌方法の機能形式を、ここで説明した給水栓接続装置に基づき説明する。
【００３５】
ユーザがハンドシャワー１’を使用してから、ハンドシャワー１’を、このために設けられた給水栓接続部ホルダ２の保持部２１に挿入すると、電子制御装置４の作動手段４１を介して、使用されたばかりのハンドシャワー１’が今収納された、ということが伝えられる。電子制御装置４は、バッテリ４２からの電圧供給をＵＶＣ放射ＬＥＤ３１に切り換えることにより、ＵＶ照射手段３を作動させる。これに相応して、ハンドシャワー１’の内部空間のＵＶ照射が始まる。それというのも、ＵＶ光線、特に好適にはＵＶＣ光線Ｚが、ＵＶ照射手段３から２つの窓１５，２２を介してハンドシャワー１’の内部空間に入射して作用するからである。
【００３６】
ＵＶ光によるユーザへの危害を回避するために、ハンドシャワー１’が給水栓接続部ホルダ２の保持部２１に掛け込まれた後に、場合により、例えば１０分間の予め設定された待機時間がプリセットされてもよい。待機時間はさらに、例えば石鹸を塗るためのシャワー休止時に、殺菌プログラムを毎回再スタートさせないようにするためにも、予め設定される。つまり重要なのは、シャワーヘッドの次の比較的長い停止時間の間に殺菌することである。この場合、電子制御装置４は、ハンドシャワー１’内に存在する残留水の十分な殺菌に必要とされる、予め設定された最小値に相応する接続継続時間を保持することになる。残留水中に存在している病原菌（レジオネラ菌）を殺菌することにより、残留水中で最適な増殖条件が支配的になった場合に病原菌が大幅に増殖するということが防止される。
【００３７】
さらに、予め設定された第１の反復インターバルを設けることにより、ハンドシャワーの使用後に、毎回再び水殺菌が開始されることはない、ということが達成され得る。第１の反復インターバルは、例えば２４時間、４８時間またはそれどころかまるまる１週間を有していてよい。これにより、シャワーの使用頻度および給水栓接続部ホルダ２へのハンドシャワー１’の収納頻度に関係無く、殺菌は、例えば２４時間以内に一度だけ実施される、ということが保証され得る。
【００３８】
さらに、電子制御装置４には第２の反復インターバルがさらに記憶されていてよい。第２の反復インターバルは、シャワーが比較的長期間使用されないと、ハンドシャワー１’内に場合により存在する、依然として病原菌を含んだ残留水が、再び大幅な増殖を招くことの対策として役立つ。つまり例えば、例えば２週間または４週間の比較的長期間にわたり使用されない場合には、第２の反復インターバルがプリセットされていてよい。つまり、例えばハンドシャワー１’が４週間使用されないと、その後殺菌が自動的に行われるようになっている。
【符号の説明】
【００３９】
１  給水栓接続部
１’  シャワーヘッド、ハンドシャワー
１０  ケーシング
１１  流入接続部
１２  水流出部
１３  ノズル
１４  流入開口
１５  第１の窓
２  給水栓接続部ホルダ
２０  ホルダケーシング
２１  保持部
２２  第２の窓
３  ＵＶ照射手段
３１  ＵＶＣ放射ＬＥＤ
４  電子制御装置
４１  作動手段
４２  バッテリ
５  シェード手段
５１  フード
Ｗ  壁
Ｘ  水流方向
Ｚ  ＵＶＣ光線
【図１】
2020531277.tif 000003
【図２】
2020531277.tif 000004
【国際調査報告】
2020531277.tif 000005
2020531277.tif 000006
2020531277.tif 000007
2020531277.tif 000008
2020531277.tif 000009
2020531277.tif 000010